(57)【要約】【課題】内蔵する記録媒体の消去と記録可否を判別する検出手段が故障した場合に、誤って記録済情報が消去されることを防止する。【解決手段】消去および記録禁止のカートリッジにおいては、誤消去防止プラグは上シェルの穴を閉塞し、かつ背面に形成された開口を開放する位置に設定され、一方、消去および記録可能のカートリッジにおいては、誤消去防止プラグは上記丸穴を開放し、かつ上記開口を閉塞するように設定することにより、前記誤消去防止プラグによる上記穴の閉塞と開放を検出する検出手段が故障しても記録済カートリッジの情報が消去されないようにした。【選択図】図１
2005122791.tif 000002
【特許請求の範囲】
【請求項１】
記録媒体を内蔵するカートリッジを装着してその記録媒体に情報信号の記録再生を行うことが可能な情報記録再生装置であって、前記カートリッジの筐体に穴を設けるとともに、その穴を略閉塞する位置と開放する位置に移動可能な誤消去防止プラグを設け、かつ前記カートリッジ筐体の穴の閉塞状態と開放状態を検出する検出手段を備え、前記検出手段による前記カートリッジ筐体の穴の閉塞状態と開放状態の検出により、その穴の閉塞状態では記録回路による上記記録媒体の情報信号の消去および記録を不能に構成し、前記穴の開放状態では記録回路による上記記録媒体の情報信号の消去および記録を可能に構成したことを特徴とする情報記録再生装置。
【請求項２】
検出手段は発光素子と受光素子からなるフォトセンサであることを特徴とする請求項１に記載の情報記録再生装置。
【発明の詳細な説明】
【技術分野】
【０００１】
本発明は、例えば映像信号などの情報信号を反復的に記録再生可能な記録媒体を内蔵し、かつ記録された情報信号の誤消去防止プラグを備えるカートリッジやカセットを用いる情報記録再生装置に関するものである。
【背景技術】
【０００２】
磁気テープや光ディスクを内蔵するカートリッジやカセット（以下総称してカートリッジという）を用いて例えば映像信号や音楽信号などの情報信号を記録およびまたは再生する方式の情報記録再生装置にあっては、記録媒体に記録された情報信号の消去不可能な状態と、消去とともに記録が可能な状態を選択可能にするために、カートリッジに誤消去防止プラグが備えられている。
【０００３】
このような誤消去防止プラグの例は、特許文献１にも開示されており、カートリッジの誤消去防止プラグは筐体壁部の穴を開閉するように構成されている。そして、筐体背面に設けられた開口から誤消去防止プラグを操作できるようになっている。
【０００４】
前記誤消去防止プラグは筐体の開口から操作することにより、カートリッジの筐体に設けた穴を閉塞する位置と開放する位置の２位置をとるようになっており、この誤消去防止プラグの筐体内での位置の違いにより、筐体の外側からの穴の深さが変化するため、情報記録再生装置内の検出センサがこの穴の深さの差を検出し、消去および記録が可能なカートリッジであるか否かを判別するように構成されている。
【０００５】
ここで、従来から一般に採用されている方式は、消去および記録を可能ならしめる時は穴を閉塞し、一方、消去および記録を禁止したい時には穴を開放する構成になっている。また、穴も筐体の厚み方向に貫通する穴にて構成したものと、貫通しない穴で構成したものとがあり、前者はフレキシブルディスクなどのパーソナルコンピュータのリムーバブル記録媒体用筐体に採用され、また後者はＶＴＲのテープカセットなどに採用されている。
【０００６】
そして、上記穴の閉塞と開放を検出する検出センサの配置位置は、情報記録再生装置を構成する他の部品との兼ね合いなどで決定されるが、一般的には誤消去防止プラグに対向するカートリッジ筐体の底面近傍や筐体背面などである。
【０００７】
前記検出センサは、上記穴に入り込む形式で誤消去防止プラグに直接当接して検出する接触型と、光などを当ててその反射光や透過光の有無を検出する非接触型の２つに大別される。代表例として、接触型には接触子が直進または回転運動をするタクトスイッチが用いられ、非接触型には一対の受発光素子を内蔵する透過型フォトセンサが用いられる。
【０００８】
上記の各検出センサのメリットとしては、接触型は誤消去防止プラグと直接接触するため、誤消去防止プラグの表面粗度や動作ポイントの光量などと無関係に安定した検出を行うことができ、一方、非接触型は誤消去防止プラグと直接接触しないため、検出に伴うセンサの機械的な損傷や動作負荷がなく、信頼性が高い検出装置を実現することができる。
【０００９】
次に、非接触型の検出センサの一例として、透過型フォトセンサによってそのカートリッジが消去および記録が可能か否かのいずれに設定されているかを判別する方法を図７と図８を用いて説明する。
【００１０】
図８に示すように、透過型フォトセンサ１１は赤外発光ダイオード１２とフォトトランジスタ１３を組み合わせた構成からなっている。端子１５に所定の電圧を印加した状態で、端子１４より所定の信号を入力すると、出力端子１６には誤消去防止プラグ１７の有無に応じて異なる出力が得られる。すなわち、カートリッジを装着しても誤消去防止プラグ１７が透過型フォトセンサ１１より離間している場合は、矢印１９で示すように赤外発光ダイオード１２からフォトトランジスタ１３に赤外光が入射されるが、図７の矢印１８で示すように誤消去防止プラグ１７が透過型フォトセンサ１１内に所定量侵入すると、その誤消去防止プラグ１７によって赤外発光ダイオード１２からの赤外光は遮られてフォトトランジスタ１３に入射されない。このようにしてカートリッジの誤消去防止プラグ１７の位置が受光素子から発光素子へ信号が到達されるか否かで検出される。
【特許文献１】特開２００１−２６６５３７号公報
【発明の開示】
【発明が解決しようとする課題】
【００１１】
上記のように誤消去防止プラグにより記録媒体に対して情報信号の消去および記録を可能にするにはカートリッジ筐体に設けた穴を閉塞し、一方消去および記録を禁止するにはその筐体の穴を開放し、そしてこの穴の閉塞と開放を透過型フォトセンサで検知してカートリッジ内の記録媒体の情報信号の消去および記録動作を可能あるいは不能にするようにした情報記録再生装置は以下の課題を有する。
【００１２】
すなわち、万一フォトセンサを構成する発光ダイオードやフォトトランジスタが故障した場合には、誤消去防止プラグがフォトセンサ内に侵入した状態と等価になって、消去および記録が可能なカートリッジが情報記録再生装置に装着されたと誤認識し、したがって、フォトセンサの故障に気づかずにいると本来は消去および記録が禁止されるべきカートリッジであるにもかかわらず、使用者の意図に反してそのカートリッジ内の記録媒体に消去および記録動作がなされてしまうという予期せぬ事態を招く虞れがあった。
【００１３】
そして、このような事態はフォトセンサ部が情報記録再生装置内の使用者からは目視できない位置に通常設置されているため、そのフォトセンサの故障に気づくことは極めて難しい。
【課題を解決するための手段】
【００１４】
本発明は、これまで長年に亘って採用されてきた情報記録再生装置の誤消去防止に関する課題を解消するもであり、その実現のために本発明は、記録媒体を内蔵するカートリッジを装着してその記録媒体に情報信号の記録再生を行うことが可能な情報記録再生装置であって、前記カートリッジの筐体に穴を設けるとともに、その穴を略閉塞する位置と開放する位置に移動可能な誤消去防止プラグを設け、かつ前記カートリッジ筐体の穴の閉塞状態と開放状態を検出する検出手段を備え、前記検出手段による前記カートリッジ筐体の穴の閉塞状態と開放状態の検出により、その穴の閉塞状態では記録回路による上記記録媒体の情報信号の消去および記録を不能に構成し、前記穴の開放状態では記録回路による上記記録媒体の情報信号の消去および記録を可能に構成したことを特徴とする情報記録再生装置である。
【００１５】
また、本発明は、検出手段は発光素子と受光素子からなることを特徴とする情報記録再生装置である。
【発明の効果】
【００１６】
上記のような構成による本発明の情報記録再生装置によれば、これまで使用者が予期しないような検出手段の故障という事態が発生した場合でも、カートリッジ内の記録媒体に既に記録されている情報が誤って消去されることがないため、記録済情報の保護を確実に保証することができ、情報記録再生装置の信頼性を飛躍的に高めることができるという利点がある。
【発明を実施するための最良の形態】
【００１７】
以下、本発明の実施の形態について、図を参照して説明する。
【００１８】
図１〜図６は、本発明の実施形態の一例を示すものであり、図１はカートリッジの上面斜視図、図２はカートリッジの底面斜視図、図３は誤消去防止プラグが消去および記録可能位置にある状態を示すカートリッジの要部断面図、図４は誤消去防止プラグが消去および記録禁止位置にある状態を示すカートリッジの要部断面図、図５は誤消去防止プラグ部を示すカートリッジの一部断面上面図、図６は記録再生回路の概略ブロック図である。
【００１９】
カートリッジ１は上シェル２と下シェル３とを重ね合わせることによって箱状筐体をなしており、内部に映像信号、音声信号、あるいは文字情報などの各種情報信号が記録された、あるいは情報信号の記録が可能な光ディスクや磁気ディスクなどの円盤状からなる記録媒体４を収納している。そして、塵埃などから記録媒体４を保護する保護部材５が設けられている。下シェル３には開口部３ａが形成されており、この開口部３ａはカートリッジ１が情報記録再生装置に装着された時、記録媒体４の回転ターンテーブルおよび光学ヘッド（何れも図示せず）を記録媒体４に臨ませるもので、これらが自由に出入りできる広さに設定されている。
【００２０】
上記カートリッジ１の筐体の一部にはその上シェル２と下シェル３の重ね合わせによって形成された隔壁１ａにより記録媒体４の収納空間１ｄと隔離された空間１ｂが形成されており、かつその空間１ｂを形成する下シェル３の平面壁には両端部が円弧状をなす長穴３ｂが形成されているとともに、上シェル２の平面壁には前記長穴３ｂの一端部の円弧と略同芯をなす円形状の丸穴２ａが形成されている。
【００２１】
また、前記空間１ｂを形成するカートリッジ１の筐体の背面には後述する誤消去防止プラグ６の移動方向の長さとほぼ同一長さの開口１ｃが形成されており、これにより空間１ｂは上記長穴３ｂ、丸穴２ａ、開口１ｃにて外部に連通している。
【００２２】
誤消去防止プラグ６は不透明な樹脂材料等から形成された長方形状からなり、その上下端面には扁平な円柱状の突起６ａ、６ｂが形成されているとともに、側端面には突起状の操作部６ｃが形成されている。この誤消去防止プラグ６はその突起６ｂが下シェル３の長穴３ｂに嵌合され、かつ操作部６ｃが開口１ｃ部に突出した状態で上記カートリッジ１の空間１ｂ内に摺動可能な状態で挿入されている。
【００２３】
これにより、誤消去防止プラグ６はカートリッジ１の背面の開口１ｃから操作部６ｃにより突起６ｂが長穴３ｂにガイドされながらその長穴３ｂに沿って空間１ｂ内を移動することができる。
【００２４】
ここで、カートリッジ１内の記録媒体４の消去および記録可能状態では、誤消去防止プラグ６は図３および図５に示すように上シェル２の丸穴２ａを開放するとともに、開口１ｃを塞ぐ位置に位置するように設定され、一方、消去および記録禁止状態においては、図４に示すように誤消去防止プラグ６は移動されて上シェル２の丸穴２ａを塞ぐとともに、開口１ｃを開放する位置に位置するように設定される。なお、誤消去防止プラグ６は消去および記録可能位置と消去および記録禁止位置の両位置に付勢保持される構成にしてある。
【００２５】
なお、図４に示すように、消去および記録可能状態においては、誤消去防止プラグ６により開口１ｃが塞がれるため、外部からこの開口１ｃを通して空間１ｂ内への塵埃の侵入が防止され、これにより空間１ｂから隔壁１ａを形成する上シェル２と下シェル３の重ね合わせ部から記録媒体４の収納空間１ｄへの塵埃の侵入が著しく軽減されるものである。
【００２６】
近年、磁気ディスクや光ディスクを用いた記録媒体は高密度記録化が著しく、カートリッジ１内への塵埃の侵入を防止し、ディスクへの塵埃の付着防止に万全を期す必要がある。カートリッジ１内への塵埃の侵入の箇所として誤消去防止プラグ６が収納された空間１ｂがあり、この空間１ｂからの塵埃の侵入を極力阻止することが必要である。そしてこの塵埃の侵入は記録と再生を繰り返すカートリッジの使用頻度が多いと例えばケースに収納されて保管されているものに比べて一層多くなる。その点上記のように消去および記録可能状態では誤消去防止プラグ６により開口１ｃが塞がれるようにしたことによって、記録と再生を繰り返す使用頻度が多くても開口１ｂからの塵埃の侵入が著しく軽減されるものである。
【００２７】
次に、誤消去防止プラグ６の位置を透過型フォトセンサからなる検出手段により検出し、記録媒体４の情報信号の消去および記録の可否について説明する。
【００２８】
ここでは、透過型フォトセンサとしては図７および図８に示したものと同様のものを用い、図３および図４に二点鎖線で示すようにカートリッジ１の情報記録再生装置への装着により、そのカートリッジ１の筐体に形成された丸穴２ａに赤外発光ダイオード１２とフォトトランジスタ１３が対向するように透過型フォトセンサ１１を設けることにより、前述した動作と同様に誤消去防止プラグ６の位置によって出力端子１６に異なる出力が得られる。
【００２９】
したがって、図６に示すように透過型フォトセンサ１１の出力により、記録再生制御回路７が情報記録再生装置の記録回路８と再生回路９を制御し、カートリッジ１の誤消去防止プラグ６が丸穴２ａと長穴３ａ間に位置して赤外発光ダイオード１２からの赤外光がフォトトランジスタ１３に受光されない時は、記録再生制御回路７が情報記録再生装置によるカートリッジ１の記録媒体４の消去および記録を禁止し、一方、誤消去防止プラグ６が移動されて丸穴２ａと長穴３ａ間に位置していないカートリッジ１では赤外発光ダイオード１２からの赤外光がフォトトランジスタ１３に受光されるため、記録再生制御回路７が情報記録再生装置によるカートリッジ１の記録媒体４の消去および記録を可能に制御するように構成される。なお、８ａ、８ｂは記録回路８の入力端子と出力端子であり、９ａ、９ｂは再生回路９の入力端子と出力端子である。
【００３０】
ここで、例えば透過型フォトセンサ１１が万一故障した場合、このセンサ１１は丸穴２ａが開放されていても誤消去防止プラグ６により赤外光を遮光している状態と等価になるため、情報記録再生装置は装着されたカートリッジに対して消去および記録が禁止されたカートリッジであるとみなし、したがって一般に採用されている従来の誤消去防止に関する構成の課題、すなわち消去および記録が禁止されたカートリッジの記録情報の保護がフォトセンサの故障時にも確実になされることになる。
【００３１】
なお、本実施形態の例においては、下シェル３に形成した穴を長穴形状としたが、この形状に限られるものではなく、また、誤消去防止プラグによる穴の閉塞と開放の検出手段として透過型フォトセンサを用いて説明したが、これは例えば誤消去防止プラグが反射機能を有していれば、反射型フォトセンサにて構成することができ、さらにフォトセンサは他の発光素子と受光素子からなるものであってもよい。
【００３２】
また、上記の実施形態の例では非接触型センサからなる検出手段により穴の閉塞と開放を検出し、情報記録再生装置を制御するようにしたものであるが、接触型の検出手段を用いる場合は、上シェル２の穴、下シェル３の穴、開口１ｂの合計３箇所のうち少なくとも１箇所から誤消去防止プラグ６の位置、すなわち誤消去防止プラグ６が上記上シェルの穴を塞いでいる状態とこれを開放している状態を例えば回動部材やスライド部材などの検出手段の変位でもって検出するようにしてもよく、すなわち検出手段は通常状態では後退しており、カートリッジ１の装着と連動して検出手段が移動し、誤消去防止プラグ６に当接すれば情報記録再生装置による消去および記録を禁止し、誤消去防止プラグ６に当接せずにさらに移動して変位すれば消去および記録を可能にする構成とすることにより、万一検出手段が後退した状態で故障し、穴が開放されているカートリッジが装着されても検出手段が移動変移しないようになった場合に、上記非接触型の検出手段によるものと同様にそのカートリッジ内の記録媒体に既に記録されている情報の保護を確実に保証することができる。
【産業上の利用可能性】
【００３３】
本発明は、カートリッジの誤消去防止プラグによる穴の閉塞と開放を検出する検出手段が万一故障した場合でも、そのカートリッジ内の記録媒体に既に記録されている情報の保護を確実に保証する情報記録再生装置であり、ディスクカートリッジのみならず、テープカセットなどの反復的に記録を行うリムーバブル記録媒体用として非常に有用である。
【図面の簡単な説明】
【００３４】
【図１】本発明の実施形態例におけるカートリッジの上面斜視図
【図２】本発明の実施形態例におけるカートリッジの底面斜視図
【図３】誤消去防止プラグが消去および記録可能位置にある状態を示すカートリッジの要部断面図
【図４】誤消去防止プラグが消去および記録禁止位置にある状態を示すカートリッジの要部断面図
【図５】誤消去防止プラグ部を示すカートリッジの一部断面上面図
【図６】記録再生回路の概略ブロック図
【図７】誤消去防止プラグの検出方法を説明する斜視図
【図８】透過型フォトセンサの回路図
【符号の説明】
【００３５】
１  カートリッジ
１ａ  隔壁
１ｂ  空間
１ｃ  開口
１ｄ  収納空間
２  上シェル
２ａ  丸穴
３  下シェル
３ｂ  長穴
４  記録媒体
６  誤消去防止プラグ
６ｃ  操作部
７  記録再生制御回路
８  記録回路
９  再生回路
１１  透過型フォトセンサ
１２  赤外発光ダイオード
１３  フォトトランジスタ
【図１】
2005122791.tif 000003
【図２】
2005122791.tif 000004
【図３】
2005122791.tif 000005
【図４】
2005122791.tif 000006
【図５】
2005122791.tif 000007
【図６】
2005122791.tif 000008
【図７】
2005122791.tif 000009
【図８】
2005122791.tif 000010